【手続補正書】
【提出日】平成23年5月24日(2011.5.24)
【手続補正１】
【補正対象書類名】明細書
【補正対象項目名】０００６
【補正方法】変更
【補正の内容】
【０００６】
この発明は、上記課題を解決するために、次のような構成要素を備えている。
請求項１に記載の発明は、
指針がそれぞれ取り付けられた複数の指針車の各光透過孔部に対する光の透過、非透過を検出する光検出手段と、
この光検出手段により検出された光の透過、非透過の状態に基づいて前記指針の位置を検出する針位置検出手段と、
外部が暗い状態であるか明るい状態であるか否かを判定する明暗判定手段と、
この明暗判定手段により外部が暗い状態であると判定され、その暗い状態が予め定められた時間続いたか否かを判断する暗状態検出手段と、
この暗状態検出手段により暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出手段で検出するように制御する針移動停止制御手段と、
この針移動停止制御手段の制御によって停止されている前記少なくとも一つの指針を停止状態から解除して通常運針させる運針制御手段と、
を備えていることを特徴とする針位置検出装置である。
【手続補正２】
【補正対象書類名】明細書
【補正対象項目名】０００７
【補正方法】変更
【補正の内容】
【０００７】
請求項２に記載の発明は、前記少なくとも一つの指針は、秒針であり、前記他の指針は、分針または時針であり、前記基準位置は、００秒位置であることを特徴とする請求項１に記載の針位置検出装置である。
【手続補正３】
【補正対象書類名】明細書
【補正対象項目名】０００８
【補正方法】変更
【補正の内容】
【０００８】
請求項３に記載の発明は、
指針がそれぞれ取り付けられた複数の指針車の各光透過孔部に対する光の透過、非透過を検出する光検出手段と、
この光検出手段により検出された光の透過、非透過の状態に基づいて前記指針の位置を検出する針位置検出手段と、
外部が暗い状態であるか明るい状態であるか否かを判定する明暗判定手段と、この明暗判定手段により外部が暗い状態であると判定され、その暗い状態が予め定められた時間続いたか否かを判断する暗状態検出手段と、
この暗状態検出手段により暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出手段で検出するように制御する針移動停止制御手段と、
前記暗状態検出手段によって暗い状態であると判断されてから、その暗い状態が前記予め定められている時間よりも長い期間続いた場合に、前記複数の指針をすべて前記基準位置に運針させて停止させる長期針停止制御手段と、
この長期針停止制御手段の制御によって停止されている前記すべての指針を停止状態から解除して通常運針させる運針制御手段と、
を備えていることを特徴とする針位置検出装置である。
請求項４に記載の発明は、前記運針制御手段は、前記明暗判定手段により外部が明るい状態であると判定された際に、前記停止されているすべての指針を停止状態から解除して通常運針させる針停止解除運針制御手段を備えていることを特徴とする請求項３に記載の針位置検出装置である。
請求項５に記載の発明は、前記運針制御手段は、外部操作スイッチが操作された際に、前記停止されているすべての指針を停止状態から解除して通常運針させる針停止解除運針制御手段を備えていることを特徴とする請求項３に記載の針位置検出装置である。
請求項６に記載の発明は、前記すべての指針は、秒針、分針および時針であり、前記基準位置は、０時００分００秒位置であることを特徴とする請求項３に記載の針位置検出装置である。
【手続補正４】
【補正対象書類名】明細書
【補正対象項目名】０００９
【補正方法】変更
【補正の内容】
【０００９】
請求項７に記載の発明は、
指針がそれぞれ取り付けられた複数の指針車の各光透過孔部に対する光の透過、非透過を検出する光検出手段と、この光検出手段により検出された光の透過、非透過の状態に基づいて前記指針の位置を検出する針位置検出手段とを備えている針位置検出装置に用いられる針位置検出制御方法において、
外部が暗い状態であるか明るい状態であるか否かを判定する明暗判定ステップと、
この明暗判定ステップにより外部が暗い状態であると判定され、その暗い状態が予め定められた時間続いたか否かを判断する暗状態検出ステップと、
この暗状態検出ステップにより暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出ステップで検出するように制御する針移動停止制御ステップと、
この針移動停止制御ステップの制御によって停止されている前記少なくとも一つの指針を停止状態から解除して通常運針させる運針制御ステップと、
を備えていることを特徴とする針位置検出制御方法である。
請求項８に記載の発明は、前記少なくとも一つの指針は、秒針であり、前記他の指針は、分針または時針であり、前記基準位置は、００秒位置であることを特徴とする請求項７に記載の針位置検出制御方法である。
【手続補正５】
【補正対象書類名】明細書
【補正対象項目名】００１０
【補正方法】変更
【補正の内容】
【００１０】
請求項９に記載の発明は、
指針がそれぞれ取り付けられた複数の指針車の各光透過孔部に対する光の透過、非透過を検出する光検出手段と、この光検出手段により検出された光の透過、非透過の状態に基づいて前記指針の位置を検出する針位置検出手段とを備えている針位置検出装置に用いられる針位置検出制御方法において、
外部が暗い状態であるか明るい状態であるか否かを判定する明暗判定ステップと、
この明暗判定ステップにより外部が暗い状態であると判定され、その暗い状態が予め定められた時間続いたか否かを判断する暗状態検出ステップと、
この暗状態検出ステップにより暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出ステップで検出するように制御する針移動停止制御ステップと、
前記暗状態検出ステップによって暗い状態であると判断されてから、その暗い状態が前記予め定められている時間よりも長い期間続いた場合に、前記複数の指針をすべて前記基準位置に運針させて停止させる長期針停止制御ステップと、
この長期針停止制御ステップの制御によって停止されている前記すべての指針を停止状態から解除して通常運針させる運針制御ステップと、
を備えていることを特徴とする針位置検出制御方法である。
請求項１０に記載の発明は、前記運針制御ステップは、前記明暗判定ステップにより外部が明るい状態であると判定された際に、前記停止されているすべての指針を停止状態から解除して通常運針させる針停止解除運針制御ステップを備えていることを特徴とする請求項９に記載の針位置検出制御方法である。
請求項１１に記載の発明は、前記運針制御ステップは、外部操作スイッチが操作された際に、前記停止されているすべての指針を停止状態から解除して通常運針させる針停止解除運針制御ステップを備えていることを特徴とする請求項９に記載の針位置検出制御方法である。
請求項１２に記載の発明は、前記すべての指針は、秒針、分針および時針であり、前記基準位置は、０時００分００秒位置であることを特徴とする請求項９に記載の針位置検出制御方法である。
【手続補正６】
【補正対象書類名】明細書
【補正対象項目名】００１１
【補正方法】変更
【補正の内容】
【００１１】
この発明によれば、次のような効果を奏することができる。
請求項１に記載の発明によれば、外部が暗い状態であると判定され、その暗い状態が予め定められた時間続いたか否かを判断した結果、暗い状態が予め定められた時間続いたと判断した場合に、複数の指針のうちの少なくとも一つの指針を基準位置に運針させて停止させ、この停止状態で予め定められた時刻ごとに複数の指針のうちの他の指針の位置を検出するように制御することができるばかりでなく、停止されている少なくとも一つの指針を停止状態から解除して通常運針させることができる。
請求項３に記載の発明によれば、外部が暗い状態であると判定され、その暗い状態が予め定められた時間続いたか否かを判断した結果、暗い状態が予め定められた時間続いたと判断した場合に、複数の指針のうちの少なくとも一つの指針を基準位置に運針させて停止させ、この停止状態で予め定められた時刻ごとに複数の指針のうちの他の指針の位置を検出するように制御する一方で、暗い状態であると判断されてから、その暗い状態が予め定められている時間よりも長い期間続いた場合に、複数の指針をすべて基準位置に運針させて停止させることができるばかりでなく、停止されているすべての指針を停止状態から解除して通常運針させることができる。
このために、非使用時に針位置検出を簡略化し、針位置検出による電池の消耗を防ぐことができる。
【手続補正７】
【補正対象書類名】特許請求の範囲
【補正対象項目名】全文
【補正方法】変更
【補正の内容】
【特許請求の範囲】
【請求項１】
指針がそれぞれ取り付けられた複数の指針車の各光透過孔部に対する光の透過、非透過を検出する光検出手段と、
この光検出手段により検出された光の透過、非透過の状態に基づいて前記指針の位置を検出する針位置検出手段と、
外部が暗い状態であるか明るい状態であるか否かを判定する明暗判定手段と、
この明暗判定手段により外部が暗い状態であると判定され、その暗い状態が予め定められた時間続いたか否かを判断する暗状態検出手段と、
この暗状態検出手段により暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出手段で検出するように制御する針移動停止制御手段と、
この針移動停止制御手段の制御によって停止されている前記少なくとも一つの指針を停止状態から解除して通常運針させる運針制御手段と、
を備えていることを特徴とする針位置検出装置。
【請求項２】
前記少なくとも一つの指針は、秒針であり、前記他の指針は、分針または時針であり、前記基準位置は、００秒位置であることを特徴とする請求項１に記載の針位置検出装置。
【請求項３】
指針がそれぞれ取り付けられた複数の指針車の各光透過孔部に対する光の透過、非透過を検出する光検出手段と、
この光検出手段により検出された光の透過、非透過の状態に基づいて前記指針の位置を検出する針位置検出手段と、
外部が暗い状態であるか明るい状態であるか否かを判定する明暗判定手段と、
この明暗判定手段により外部が暗い状態であると判定され、その暗い状態が予め定められた時間続いたか否かを判断する暗状態検出手段と、
この暗状態検出手段により暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出手段で検出するように制御する針移動停止制御手段と、
前記暗状態検出手段によって暗い状態であると判断されてから、その暗い状態が前記予め定められている時間よりも長い期間続いた場合に、前記複数の指針をすべて前記基準位置に運針させて停止させる長期針停止制御手段と、
この長期針停止制御手段の制御によって停止されている前記すべての指針を停止状態から解除して通常運針させる運針制御手段と、
を備えていることを特徴とする針位置検出装置。
【請求項４】
前記運針制御手段は、前記明暗判定手段により外部が明るい状態であると判定された際に、前記停止されているすべての指針を停止状態から解除して通常運針させる針停止解除運針制御手段を備えていることを特徴とする請求項３に記載の針位置検出装置。
【請求項５】
前記運針制御手段は、外部操作スイッチが操作された際に、前記停止されているすべての指針を停止状態から解除して通常運針させる針停止解除運針制御手段を備えていることを特徴とする請求項３に記載の針位置検出装置。
【請求項６】
前記すべての指針は、秒針、分針および時針であり、前記基準位置は、０時００分００秒位置であることを特徴とする請求項３に記載の針位置検出装置。
【請求項７】
指針がそれぞれ取り付けられた複数の指針車の各光透過孔部に対する光の透過、非透過を検出する光検出手段と、この光検出手段により検出された光の透過、非透過の状態に基づいて前記指針の位置を検出する針位置検出手段とを備えている針位置検出装置に用いられる針位置検出制御方法において、
外部が暗い状態であるか明るい状態であるか否かを判定する明暗判定ステップと、
この明暗判定ステップにより外部が暗い状態であると判定され、その暗い状態が予め定められた時間続いたか否かを判断する暗状態検出ステップと、
この暗状態検出ステップにより暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出ステップで検出するように制御する針移動停止制御ステップと、
この針移動停止制御ステップの制御によって停止されている前記少なくとも一つの指針を停止状態から解除して通常運針させる運針制御ステップと、
を備えていることを特徴とする針位置検出制御方法。
【請求項８】
前記少なくとも一つの指針は、秒針であり、前記他の指針は、分針または時針であり、前記基準位置は、００秒位置であることを特徴とする請求項７に記載の針位置検出制御方法。
【請求項９】
指針がそれぞれ取り付けられた複数の指針車の各光透過孔部に対する光の透過、非透過を検出する光検出手段と、この光検出手段により検出された光の透過、非透過の状態に基づいて前記指針の位置を検出する針位置検出手段とを備えている針位置検出装置に用いられる針位置検出制御方法において、
外部が暗い状態であるか明るい状態であるか否かを判定する明暗判定ステップと、
この明暗判定ステップにより外部が暗い状態であると判定され、その暗い状態が予め定められた時間続いたか否かを判断する暗状態検出ステップと、
この暗状態検出ステップにより暗い状態が予め定められた時間続いたと判断した場合に、前記複数の指針のうちの少なくとも一つの指針を基準位置に運針させて停止させ、この停止状態で予め定められた時刻ごとに前記複数の指針のうちの他の指針の位置を前記針位置検出ステップで検出するように制御する針移動停止制御ステップと、
前記暗状態検出ステップによって暗い状態であると判断されてから、その暗い状態が前記予め定められている時間よりも長い期間続いた場合に、前記複数の指針をすべて前記基準位置に運針させて停止させる長期針停止制御ステップと、
この長期針停止制御ステップの制御によって停止されている前記すべての指針を停止状態から解除して通常運針させる運針制御ステップと、
を備えていることを特徴とする針位置検出制御方法。
【請求項１０】
前記運針制御ステップは、前記明暗判定ステップにより外部が明るい状態であると判定された際に、前記停止されているすべての指針を停止状態から解除して通常運針させる針停止解除運針制御ステップを備えていることを特徴とする請求項９に記載の針位置検出制御方法。
【請求項１１】
前記運針制御ステップは、外部操作スイッチが操作された際に、前記停止されているすべての指針を停止状態から解除して通常運針させる針停止解除運針制御ステップを備えていることを特徴とする請求項９に記載の針位置検出制御方法。
【請求項１２】
前記すべての指針は、秒針、分針および時針であり、前記基準位置は、０時００分００秒位置であることを特徴とする請求項９に記載の針位置検出制御方法。